【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
下記を具備する、ユーザ機器（ＵＥ）によるワイヤレス通信のための方法：
制御チャネルと関連付けられるリソースの細分性に基づいて、データチャネルに割り当てられるリソースを決定すること、ここにおいて、前記リソースの細分性は、１つまたは複数の拡張された制御チャネル要素（ＥＣＣＥ）に関する、および
前記決定に基づいてサブフレームにおけるデータチャネル送信を処理すること。
【請求項２】
請求項１に記載の方法、ここにおいて、前記リソースの細分性は、物理リソースブロック（ＰＲＢ）ペアに含まれるＥＣＣＥｓの数に依存する。
【請求項３】
請求項１に記載の方法、ここにおいて、前記データチャネルについて利用可能なリソースは、同一のグループからの複数のＥＣＣＥｓを具備する仮想リソースブロック（ＶＲＢｓ）を具備する。
【請求項４】
請求項１に記載の方法、ここにおいて、前記データチャネルは、物理ダウンリンク共有チャネル（ＰＤＳＣＨ）を具備する。
【請求項５】
請求項４に記載の方法、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする、および
前記サブフレームにおけるＰＤＳＣＨ送信を処理することは、前記オーバーラップしたリソースに基づいてレート整合を実行することを具備する。
【請求項６】
請求項４に記載の方法、ここにおいて
少なくともいくつかのＰＤＳＣＨリソースは、対応する制御チャネルなしに割り当てられる、および
前記サブフレームにおけるＰＤＳＣＨ送信を処理することは、ＰＤＳＣＨ送信を復号するためにブラインド復号を実行することを具備する。
【請求項７】
請求項１に記載の方法、ここにおいて、前記データチャネルに割り当てられた前記リソースを決定することは下記を具備する：
１つまたは複数の仮想リソースブロックのセットを示すダウンリンク制御情報（ＤＣＩ）を受信すること、各々は１つまたは複数のＥＣＣＥｓのセットにマッピングされる。
【請求項８】
請求項１に記載の方法、ここにおいて、前記データチャネル送信について利用可能なサブフレームは下記を具備する：
既知の位置における情報を有する第１の固定された領域、および
前記ＵＥが物理ダウンリンク共有チャネル（ＰＤＳＣＨ）を検出するためにブラインド復号を実行する第２の動的領域。
【請求項９】
下記を具備する、基地局（ＢＳ）によるワイヤレス通信のための方法：
制御チャネルと関連付けられるリソースの細分性に基づいて、ユーザ機器（ＵＥ）のためのデータチャネルにリソースを割り当てること、ここにおいて、前記リソースの細分性は、１つまたは複数の拡張された制御チャネル要素（ＥＣＣＥ）の数に依存する、および
前記割り当てに基づいてサブフレームにおけるデータチャネル送信を送ること。
【請求項１０】
請求項９に記載の方法、ここにおいて、前記リソースの細分性は、物理リソースブロック（ＰＲＢ）ペアに含まれるＥＣＣＥｓの数に依存する。
【請求項１１】
請求項９に記載の方法、ここにおいて、前記データチャネルについて利用可能なリソースは、同一のグループからの複数のＥＣＣＥｓを具備する仮想リソースブロック（ＶＲＢｓ）を具備する。
【請求項１２】
下記を具備する、ワイヤレス通信のためのユーザ機器（ＵＥ）：
制御チャネルと関連付けられるリソースの細分性に基づいて、データチャネルに割り当てられるリソースを決定するための手段、ここにおいて、前記リソースの細分性は、１つまたは複数の拡張された制御チャネル要素（ＥＣＣＥ）に関する、および
前記決定に基づいてサブフレームにおけるデータチャネル送信を処理するための手段。
【請求項１３】
下記を具備する、ワイヤレス通信のための基地局（ＢＳ）：
制御チャネルと関連付けられるリソースの細分性に基づいて、ユーザ機器（ＵＥ）のためのデータチャネルにリソースを割り当てるための手段、ここにおいて、前記リソースの細分性は、１つまたは複数の拡張された制御チャネル要素（ＥＣＣＥ）に関する、および
前記割り当てに基づいてサブフレームにおけるＰＤＳＣＨ送信を送るための手段。
【請求項１４】
少なくとも１つのコンピュータシステムに、請求項１乃至８のうちのいずれか１項に記載の方法を実行させるためのコンピュータ可読命令を備える、コンピュータプログラム。
【請求項１５】
少なくとも１つのコンピュータシステムに、請求項９乃至１１のうちのいずれか１項に記載の方法を実行させるためのコンピュータ可読命令を備える、コンピュータプログラム。
【手続補正２】
【補正対象書類名】明細書
【補正対象項目名】００８２
【補正方法】変更
【補正の内容】
【００８２】
[0096]  本開示の先の記載は、当業者が本開示を実施および使用することを可能にするために提供される。本開示に対する様々な変更は、当業者に容易に理解され、ここで定義された一般的な原理は、本開示の趣旨または範囲から逸脱せずに、他の変形例に適用されることができる。よって、本開示は、ここで説明される実例および設計に限定されるように意図されたものではなく、ここで開示された原理および新規の特徴と矛盾しない最大範囲であると認められるべきである。
以下に、出願当初の特許請求の範囲に記載された発明を付記する。
［Ｃ１］
下記を具備する、ユーザ機器（ＵＥ）によるワイヤレス通信のための方法：
制御チャネルと関連付けられるリソースの細分性に基づいて、データチャネルに割り当てられるリソースを決定すること、および
前記決定に基づいてサブフレームにおけるデータチャネル送信を処理すること。
［Ｃ２］
Ｃ１に記載の方法、ここにおいて、前記リソースの細分性は、１つまたは複数の拡張された制御チャネル要素（ＥＣＣＥ）に関する。
［Ｃ３］
Ｃ２に記載の方法、ここにおいて、前記リソースの細分性は、物理リソースブロック（ＰＲＢ）ペアに含まれるＥＣＣＥｓの数に依存する。
［Ｃ４］
Ｃ１に記載の方法、ここにおいて、前記リソースの細分性はＰＲＢペアよりも小さい。
［Ｃ５］
Ｃ２に記載の方法、ここにおいて、前記データチャネルについて利用可能なリソースは、同一のグループからの複数のＥＣＣＥｓを具備する仮想リソースブロック（ＶＲＢｓ）を具備する。
［Ｃ６］
Ｃ１に記載の方法、ここにおいて、前記データチャネルは、物理ダウンリンク共有チャネル（ＰＤＳＣＨ）を具備する。
［Ｃ７］
Ｃ６に記載の方法、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする、および
前記サブフレームにおけるＰＤＳＣＨ送信を処理することは、前記オーバーラップしたリソースに基づいてレート整合を実行することを具備する。
［Ｃ８］
Ｃ６に記載の方法、ここにおいて
少なくともいくつかのＰＤＳＣＨリソースは、対応する制御チャネルなしに割り当てられる、および
前記サブフレームにおけるＰＤＳＣＨ送信を処理することは、ＰＤＳＣＨ送信を復号するためにブラインド復号を実行することを具備する。
［Ｃ９］
Ｃ２に記載の方法、ここにおいて、前記データチャネルに割り当てられた前記リソースを決定することは下記を具備する：
１つまたは複数の仮想リソースブロックのセットを示すダウンリンク制御情報（ＤＣＩ）を受信すること、各々は１つまたは複数のＥＣＣＥｓのセットにマッピングされる。
［Ｃ１０］
Ｃ１に記載の方法、ここにおいて、前記データチャネル送信について利用可能なサブフレームは下記を具備する：
既知の位置における情報を有する第１の固定された領域、および
前記ＵＥが物理ダウンリンク共有チャネル（ＰＤＳＣＨ）を検出するためにブラインド復号を実行する第２の動的領域。
［Ｃ１１］
下記を具備する、基地局（ＢＳ）によるワイヤレス通信のための方法：
制御チャネルと関連付けられるリソースの細分性に基づいて、ユーザ機器（ＵＥ）のためのデータチャネルにリソースを割り当てること、および
前記割り当てに基づいてサブフレームにおけるデータチャネル送信を送ること。
［Ｃ１２］
Ｃ１１に記載の方法、ここにおいて、前記リソースの細分性は、１つまたは複数の拡張された制御チャネル要素（ＥＣＣＥ）の数に依存する。
［Ｃ１３］
Ｃ１２に記載の方法、ここにおいて、前記リソースの細分性は、物理リソースブロック（ＰＲＢ）ペアに含まれるＥＣＣＥｓの数に依存する。
［Ｃ１４］
Ｃ１１に記載の方法、ここにおいて、前記リソースの細分性はＰＲＢペアよりも小さい。
［Ｃ１５］
Ｃ１２に記載の方法、ここにおいて、前記データチャネルについて利用可能なリソースは、同一のグループからの複数のＥＣＣＥｓを具備する仮想リソースブロック（ＶＲＢｓ）を具備する。
［Ｃ１６］
Ｃ１１に記載の方法、ここにおいて、前記データチャネルは、物理ダウンリンク共有チャネル（ＰＤＳＣＨ）を具備する。
［Ｃ１７］
Ｃ１６に記載の方法、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする。
［Ｃ１８］
Ｃ１６に記載の方法、ここにおいて、
少なくともいくつかのＰＤＳＣＨリソースは、対応する制御チャネルなしに割り当てられる。
［Ｃ１９］
さらに下記を具備する、Ｃ１２に記載の方法：
１つまたは複数の仮想リソースブロックのセットを示すダウンリンク制御情報（ＤＣＩ）を送ること、各々は１つまたは複数のＥＣＣＥｓのセットにマッピングされる。
［Ｃ２０］
Ｃ１１に記載の方法、ここにおいて、前記データチャネル送信について利用可能なサブフレームは下記を具備する：
既知の位置における情報を有する第１の固定された領域、および
前記ＵＥが物理ダウンリンク共有チャネル（ＰＤＳＣＨ）を検出するためにブラインド復号を実行する第２の動的領域。
［Ｃ２１］
Ｃ２０に記載の方法、ここにおいて、前記データチャネル送信について利用可能なサブフレームはまた、以下を具備する：
永久的にスケジュールされたＰＤＳＣＨ送信に関する第３の領域。
［Ｃ２２］
下記を具備する、ユーザ機器（ＵＥ）によるワイヤレス通信のための装置：
制御チャネルと関連付けられるリソースの細分性に基づいて、データチャネルに割り当てられるリソースを決定するための手段、および
前記決定に基づいてサブフレームにおけるデータチャネル送信を処理するための手段。
［Ｃ２３］
Ｃ２２に記載の装置、ここにおいて、前記リソースの細分性は、１つまたは複数の拡張された制御チャネル要素（ＥＣＣＥ）に関する。
［Ｃ２４］
Ｃ２２に記載の装置、ここにおいて、前記データチャネルは、物理ダウンリンク制御チャネル（ＰＤＳＣＨ）を具備する。
［Ｃ２５］
Ｃ２４に記載の装置、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする、および
前記サブフレームにおけるＰＤＳＣＨ送信を処理することは、前記オーバーラップしたリソースに基づいてレート整合を実行することを具備する。
［Ｃ２６］
下記を具備する、基地局（ＢＳ）によるワイヤレス通信のための装置：
制御チャネルと関連付けられるリソースの細分性に基づいて、ユーザ機器（ＵＥ）のためのデータチャネルにリソースを割り当てるための手段、および
前記割り当てに基づいてサブフレームにおけるＰＤＳＣＨ送信を送るための手段。
［Ｃ２７］
Ｃ２６に記載の装置、ここにおいて、前記リソースの細分性は、１つまたは複数の拡張された制御チャネル要素（ＥＣＣＥ）に関する。
［Ｃ２８］
Ｃ２６に記載の装置、ここにおいて、前記データチャネルは、物理ダウンリンク制御チャネル（ＰＤＳＣＨ）を具備する。
［Ｃ２９］
Ｃ２８に記載の装置、ここにおいて：
前記ＰＤＳＣＨに割り当てられた前記リソースのうちの少なくともいくつかは、拡張された物理ダウンリンク制御チャネル（ＥＰＤＣＣＨ）に対応するリソースとオーバーラップする、および
前記サブフレームにおけるＰＤＳＣＨ送信を処理することは、前記オーバーラップしたリソースに基づいてレート整合を実行することを具備する。